(57)【要約】 【課題】  容易かつ確実に操作者の所望する姿勢で画像を表示させることができ、操作者に対する利便性を向上することができる電子カメラ装置を提供する。【解決手段】  操作者によって、操作部１８の第１〜第４姿勢キー２３〜２６のいずれかが操作されることによって、撮像部１１によって撮像される画像の姿勢が入力されると、撮像部１１によって撮像された画像を表す画像データと、操作部１８に入力される画像の姿勢を表す姿勢データとに基づいて、前記姿勢データが表す姿勢で画像を表示することができるように画像データがメモリ部１４に記憶される。したがって、操作者は、第１〜第４姿勢キー２３〜２６のいずれかを選択して入力するだけで、容易かつ確実に操作者自身の所望する姿勢で画像を表示することができるように画像データをメモリ部１４に記憶させることができる。【選択図】      図１
2005236399.tif 000002
【特許請求の範囲】
【請求項１】
画像を撮像する撮像手段と、
少なくとも撮像手段によって撮像された画像を表す画像データを記憶する記憶手段と、
操作者によって、前記撮像手段によって撮像される画像の姿勢を選択して入力するために操作される操作キーを備える入力手段と、
前記画像データと、入力手段によって入力される画像の姿勢を表す姿勢データとに基づいて、前記姿勢データが表す姿勢で画像を表示することができるように画像データを記憶手段に記憶させる制御手段とを含むことを特徴とする電子カメラ装置。
【請求項２】
前記制御手段は、
前記撮像手段によって撮像された画像を表す画像データと、前記入力手段によって入力される画像の姿勢を表す姿勢データとを対応付けて前記記憶手段に記憶させることを特徴とする請求項１記載の電子カメラ装置。
【請求項３】
前記制御手段は、
前記入力手段によって入力される画像の姿勢を表す姿勢データに基づいて、前記撮像手段によって撮像された画像の姿勢を変化させて得られる画像データを、前記記憶手段に記憶させることを特徴とする請求項１または２記載の電子カメラ装置。
【請求項４】
前記制御手段は、
前記撮像手段によって撮像された画像を表す画像データと、前記入力手段によって入力される画像の姿勢を表す姿勢データとをファイル化して前記記憶手段に記憶させることを特徴とする請求項１〜３のいずれか１つに記載の電子カメラ装置。
【請求項５】
前記撮像手段によって撮像される画像の姿勢と、予め定める文字画像の姿勢とが合致するように、前記画像と前記文字画像とを合成させた合成画像を表す合成画像データを生成する合成画像データ生成手段をさらに有し、
前記画像データは、前記合成画像生成手段によって生成される合成画像データを含むことを特徴とする請求項１〜４のいずれか１つに記載の電子カメラ装置。
【発明の詳細な説明】
【技術分野】
【０００１】
本発明は、撮像手段によって撮像された画像を表示させるときに好適に用いられる電子カメラ装置に関する。
【背景技術】
【０００２】
デジタルスチルカメラなどの電子カメラ装置を用いて被写体を撮影する場合、被写体が横長であれば電子カメラ装置を水平にして撮影し、被写体が縦長であれば電子カメラ装置を垂直にして撮影する。前述のように撮影した場合に得られる画像を所定の時間毎に順次表示部に表示させたり、画像の一覧を表示部に表示させたりすることによって、撮影した画像を見るとき、前記画像には撮影時の電子カメラ装置の向きに応じて水平方向および垂直方向の画像が混在するので、画像の方向が合わず、見づらいという問題がある。また、プリンタなどを用いて撮影して得られた画像を印字するときは、プリンタに設定されている記録紙の方向と画像の方向とを一致させる作業が必要になり、操作者にとって前記作業が煩雑であるという問題がある。
【０００３】
前述のような問題を解決する従来の技術は、特許文献１に記載されている。特許文献１に記載のデジタルスチルカメラは、遮蔽板および３つのセンサから成る撮影方向検出部を有しており、カメラ本体の撮影方向に応じて３つのセンサのうちいずれか１つのセンサが遮蔽板によって遮蔽されたときの検出信号に基づいて、カメラ本体の撮影方向が垂直および水平のいずれであるかを検出し、この検出結果に基づいて、撮影して得られた画像データを所定の向きに回転することによって、常に一定方向の画像データを取り込むように構成される。
【０００４】
他の従来の技術として、特許文献１に記載の従来の技術と類似の技術が特許文献２に記載されている。特許文献２に記載の電子カメラ装置は、画像データ上に合成される文字データの向きを予め決められた複数の向きのうち、任意の向きに変更することができるプリンタ装置を内蔵しており、たとえば電子カメラ装置を横および縦に構えて撮影することによって得られた画像データをそれぞれ印刷する場合、文字データの向きをユーザ操作に応じて適宜変更することができ、画像データの向きと文字データの向きとを一致させることができるように構成される。
【０００５】
【特許文献１】特開平１１−２８４８９７号公報
【特許文献２】特開２００１−１０３２６９号公報
【発明の開示】
【発明が解決しようとする課題】
【０００６】
特許文献１に記載の従来の技術は、カメラ本体の撮影方向に応じて３つのセンサのうちいずれか１つのセンサが遮蔽板によって遮蔽されたときの検出信号に基づいて、カメラ本体の撮影方向が垂直および水平のいずれであるかを検出するように撮影方向検出部を備えて構成されているが、操作者によるカメラ本体の撮影方向によっては、３つのセンサのうちいずれのセンサも遮蔽板によって遮蔽されずに、撮影方向検出部がカメラ本体の撮影方向を検出することができない場合がある。また、操作者によるカメラ本体の撮影方向によっては、撮影方向検出部によって検出されるカメラ本体の撮影方向に基づいて所定の向きに回転されて取り込まれる画像データの向きが、操作者の所望する画像データの向きと異なる場合がある。したがって、特許文献１に記載の従来の技術では、操作者の所望する姿勢で画像を表示することができない場合があるので、操作者に対する利便性が低いという問題がある。
【０００７】
本発明の目的は、容易かつ確実に操作者の所望する姿勢で画像を表示させることができ、操作者に対する利便性を向上することができる電子カメラ装置を提供することである。
【課題を解決するための手段】
【０００８】
本発明は、画像を撮像する撮像手段と、
少なくとも撮像手段によって撮像された画像を表す画像データを記憶する記憶手段と、
操作者によって、前記撮像手段によって撮像される画像の姿勢を選択して入力するために操作される操作キーを備える入力手段と、
前記画像データと、入力手段によって入力される画像の姿勢を表す姿勢データとに基づいて、前記姿勢データが表す姿勢で画像を表示することができるように画像データを記憶手段に記憶させる制御手段とを含むことを特徴とする電子カメラ装置である。
【０００９】
また本発明は、前記制御手段は、
前記撮像手段によって撮像された画像を表す画像データと、前記入力手段によって入力される画像の姿勢を表す姿勢データとを対応付けて前記記憶手段に記憶させることを特徴とする。
【００１０】
さらに本発明は、前記制御手段は、
前記入力手段によって入力される画像の姿勢を表す姿勢データに基づいて、前記撮像手段によって撮像された画像の姿勢を変化させて得られる画像データを、前記記憶手段に記憶させることを特徴とする。
【００１１】
さらに本発明は、前記制御手段は、
前記撮像手段によって撮像された画像を表す画像データと、前記入力手段によって入力される画像の姿勢を表す姿勢データとをファイル化して前記記憶手段に記憶させることを特徴とする。
【００１２】
さらに本発明は、前記撮像手段によって撮像される画像の姿勢と、予め定める文字画像の姿勢とが合致するように、前記画像と前記文字画像とを合成させた合成画像を表す合成画像データを生成する合成画像データ生成手段をさらに有し、
前記画像データは、前記合成画像生成手段によって生成される合成画像データを含むことを特徴とする。
【発明の効果】
【００１３】
本発明によれば、撮像手段は、画像を撮像する。記憶手段には、撮像手段によって撮像された画像を表す画像データが記憶される。操作者によって入力手段の操作キーが操作されて、撮像手段によって撮像される画像の姿勢が選択されて入力されると、制御手段は、撮像手段によって撮像された画像を表す画像データと、入力手段によって入力される画像の姿勢を表す姿勢データとに基づいて、前記姿勢データが表す姿勢で画像を表示することができるように画像データを記憶手段に記憶させる。
【００１４】
前述のように、操作者が入力手段の操作キーを操作して、撮像手段によって撮像される画像の姿勢を選択して入力すると、撮像手段によって撮像された画像を表す画像データと、入力手段によって入力される画像の姿勢を表す姿勢データとに基づいて、前記姿勢データが表す姿勢で画像を表示することができるように画像データが記憶手段に記憶される。
【００１５】
したがって、操作者は、撮像手段によって撮像される画像に対する操作者自身の所望する姿勢を選択して入力するだけで、容易かつ確実に操作者自身の所望する姿勢で画像を表示することができるように画像データを記憶手段に記憶させることができる。これによって、記憶手段に記憶された画像データが表す画像を、たとえば所定の時間毎に順次表示させたり、前記画像の一覧を表示させたりするとき、確実に操作者の所望する姿勢で前記画像を表示させることができる。したがって、操作者に対する利便性を向上することができる。
【００１６】
また本発明によれば、制御手段は、撮像手段によって撮像された画像を表す画像データと、入力手段によって入力される画像の姿勢を表す姿勢データとを対応付けて記憶手段に記憶させる。前述のように、操作者が入力手段の操作キーを操作して、撮像手段によって撮像される画像の姿勢を選択して入力すると、前記画像の姿勢を表す姿勢データと、撮像手段によって撮像された画像を表す画像データとが対応付けられて記憶手段に記憶される。
【００１７】
したがって、操作者は、撮像手段によって撮像される画像に対する操作者自身の所望する姿勢を選択して入力するだけで、容易かつ確実に操作者自身の所望する姿勢で画像を表示することができるように、前記画像に対する操作者の所望する姿勢を表す姿勢データと、撮像手段によって撮像された画像を表す画像データとを対応付けて記憶手段に記憶させることができる。これによって、記憶手段に記憶された画像データが表す画像を、たとえば所定の時間毎に順次表示させたり、前記画像の一覧を表示させたりするとき、前記画像データと対応付けられて記憶手段に記憶された姿勢データに基づいて、より確実に操作者の所望する姿勢で前記画像を表示させることができる。したがって、操作者に対する利便性を向上することができる。
【００１８】
また本発明によれば、制御手段は、入力手段によって入力される画像の姿勢を表す姿勢データに基づいて、撮像手段によって撮像された画像の姿勢を変化させて得られる画像データを記憶手段に記憶させる。前述のように、操作者が入力手段の操作キーを操作して、撮像手段によって撮像される画像の姿勢を選択して入力すると、前記画像の姿勢を表す姿勢データに基づいて、撮像手段によって撮像された画像の姿勢が変化させられて得られる画像データが記憶手段に記憶される。
【００１９】
したがって、操作者は、撮像手段によって撮像される画像に対する操作者自身の所望する姿勢を選択して入力するだけで、容易かつ確実に操作者自身の所望する姿勢で画像を表示することができるように、撮像手段によって撮像された画像の姿勢を変化させて得られる画像データを記憶手段に記憶させることができる。これによって、記憶手段に記憶された画像データが表す画像を、たとえば所定の時間毎に順次表示させたり、前記画像の一覧を表示させたりするとき、確実に操作者の所望する姿勢で前記画像を表示させることができる。したがって、操作者に対する利便性を向上することができる。
【００２０】
また本発明によれば、制御手段は、撮像手段によって撮像された画像を表す画像データと、入力手段によって入力される画像の姿勢を表す姿勢データとをファイル化して記憶手段に記憶させる。前述のように、操作者が入力手段の操作キーを操作して、撮像手段によって撮像される画像の姿勢を選択して入力すると、撮像手段によって撮像された画像を表す画像データと、前記画像の姿勢を表す姿勢データとがファイル化されて記憶手段に記憶される。画像データと姿勢データとは、ファイル化されて記憶手段に記憶されるので、記憶手段に記憶された画像データが表す画像を外部の表示装置で表示させるとき、操作者は、画像データと姿勢データとがファイル化された１つのデータファイルを外部の表示装置に供給するだけでよく、画像データと姿勢データとがファイル化されずに個別に記憶手段に記憶される場合のように、画像データと姿勢データとを個別に外部の表示装置に供給する必要がない。
【００２１】
したがって、姿勢データに基づいて、姿勢データが表す姿勢で前記画像データを表す画像を、外部の表示装置に容易に表示させることができ、操作者に対する利便性が向上する。
【００２２】
また本発明によれば、合成画像データ生成手段は、撮像手段によって撮像される画像の姿勢と、予め定める文字画像の姿勢とが合致するように、前記画像と前記文字画像とを合成させた合成画像を表す合成画像データを生成する。操作者によって入力手段の操作キーが操作されて、撮像手段によって撮像される画像の姿勢が選択されて入力されると、合成画像データ生成手段は、撮像手段によって撮像される画像の姿勢と、予め定める文字画像の姿勢とが合致するように、前記画像と文字画像とを合成させた合成画像を表す合成画像データを生成する。合成画像データが生成されると、制御手段は、生成された合成画像データと、入力手段によって入力される画像の姿勢を表す姿勢データとに基づいて、前記姿勢データが表す姿勢で、前記合成画像データが表す画像を表示することができるように前記合成画像データを記憶手段に記憶させる。
【００２３】
前述のように、操作者が入力手段の操作キーを操作して、撮像手段によって撮像される画像の姿勢を選択して入力すると、撮像手段によって撮像される画像の姿勢と、予め定める文字画像の姿勢とが合致するように、前記画像と文字画像とが合成された合成画像を表す合成画像データが生成され、生成された合成画像データと、入力手段によって入力される画像の姿勢を表す姿勢データとに基づいて、前記姿勢データが表す姿勢で、前記合成画像データが表す合成画像を表示することができるように前記合成画像データが記憶手段に記憶される。したがって、操作者は、前記合成画像に対する操作者自身の所望する姿勢を選択して入力するだけで、容易かつ確実に操作者自身の所望する姿勢で前記合成画像を表示することができるように合成画像データを記憶手段に記憶させることができる。
【００２４】
これによって、記憶手段に記憶された合成画像データが表す合成画像を、たとえば所定の時間毎に順次表示させたり、前記画像の一覧を表示させたりするとき、確実に操作者の所望する姿勢で前記合成画像を表示させることができる。したがって、操作者に対する利便性を向上することができる。
【発明を実施するための最良の形態】
【００２５】
図１は、本発明の実施の一形態である電子カメラ装置１の電気的構成を示すブロック図である。電子カメラ装置１は、たとえば電子スチルカメラ（デジタルカメラ）によって実現される。電子カメラ装置１は、撮像部１１、信号処理部１２、画像処理部１３、メモリ部１４、ＣＰＵ（Central Processing Unit）１５、ＲＡＭ（Random Access Memory）１６、ＲＯＭ（Read Only Memory）１７、操作部１８および表示部１９を含んで構成される。
【００２６】
撮像手段である撮像部１１は、撮像レンズ２８と、電荷結合素子（Charge Coupled
Device；略称：ＣＣＤ）イメージセンサ（以下、単に「ＣＣＤ」と表記する場合がある）およびＣＭＯＳ（Complementary Metal-Oxide Semiconductor）イメージセンサなどの撮像素子と、カラーフィルタとを備える。撮像レンズ２８は、被写体を撮像したとき、被写体の光像をＣＣＤ上に結像させる。ＣＣＤの受光面には、半球状のマイクロレンズを有する多数のフォトダイオードがマトリクス状に配置されている。また、ＣＣＤは、赤（Ｒ），緑（Ｇ），青（Ｂ）の３色のカラーフィルタを備えており、被写体で反射されて撮像レンズ２８を介して入射した光は、カラーフィルタを通してＲ，Ｇ，Ｂの３色光にされる。撮像レンズ２８を介してＣＣＤの受光面のマイクロレンズに結像された被写体像は、各フォトダイオードによってＲ，Ｇ，Ｂの３色光の入射光量に応じた量の信号電荷に変換されて蓄積される。各フォトダイオードに蓄積された信号電荷は、信号電荷に応じた電気信号（画像信号）として出力される。
【００２７】
また、撮像部１１は、ＣＣＤから出力されるＲＧＢの３色光にそれぞれ対応したアナログ信号である電気信号を増幅し、増幅された前記電気信号を、アナログ／デジタル（略称：Ａ／Ｄ）変換器によって、デジタル信号に変換して画像データを生成する。撮像部１１は、生成された画像データを、信号処理部１２に与える。また、操作者によって、後述する第１〜第４姿勢キー２３〜２６のうちのいずれかの姿勢キーが操作されたとき、操作部１８は、各姿勢キー２３〜２６にそれぞれ割当てられている画像の姿勢を表す姿勢データを信号処理部１２に与える。
【００２８】
信号処理部１２は、たとえば撮像部１１によって生成される画像データを一時的に記憶するデータメモリを含むデジタルシグナルプロセッサ（略称：ＤＳＰ）によって実現される。信号処理部１２は、後述するＣＰＵ１５からの指示に従って、撮像部１１から与えられる画像データに対して、ホワイトバランス補正およびガンマ補正などの信号処理を施す。また、操作者によって、後述する第１〜第４姿勢キー２３〜２６のうちいずれかの姿勢キーが操作されると、信号処理部１２では、後述するＣＰＵ１５からの指示に従って、撮像部１１から与えられる各姿勢キー２３〜２６にそれぞれ割当てられている画像の姿勢を表す姿勢データに基づいて、前記出力した画像データが表す画像に対して所定の回転処理を施す。
【００２９】
ここで、信号処理部１２による画像の回転処理について説明する。画像の任意の画素の座標位置を（ｘ，ｙ）とし、この任意の画素の座標位置（ｘ，ｙ）を、原点（０，０）を中心とする予め定める角度θで回転させたときの画素の座標位置を（Ｘ，Ｙ）とすると、前記角度θで回転された画素の座標位置（Ｘ，Ｙ）は、式（１）および式（２）によって算出される。
Ｘ＝ｘｃｏｓθ−ｙｓｉｎθ                                …（１）
Ｙ＝ｘｓｉｎθ＋ｙｃｏｓθ                                …（２）
【００３０】
上記の式（１）および式（２）によって算出される画素の座標位置に基づいて、回転処理が施された画像データが出力される。
【００３１】
所定の回転処理が施された画像データは、一時的にデータメモリに記憶される。前記画像データは、信号処理部１２のデータメモリに一時的に記憶された後、画像処理部１３に与えられる。
【００３２】
画像処理部１３は、圧縮伸長回路を備える。画像処理部１３は、後述するＣＰＵ１５からの指示に基づいて、信号処理部１２から送られてくる画像データに対して、圧縮伸長回路によって予め定める圧縮処理を施す。本実施の形態では、ＪＰＥＧ（Joint
Photographic coding Experts Group）形式の圧縮処理を施す。圧縮された画像データは、メモリ部１４に与えられる。
【００３３】
信号処理部１２から与えられる画像データは、後述するＲＯＭ１７に記憶される複数の圧縮率のうち、予め定める圧縮率に従って圧縮されてもよいし、操作者によって選択されて入力される圧縮率に従って圧縮されてもよい。圧縮率を変えることによって、同じ画像サイズでもファイルの容量を変えることができる。
【００３４】
また、画像処理部１３は、ＣＰＵ１５の指示に従って、ＪＰＥＧ形式によって圧縮された画像データと、操作者によって操作された姿勢キー２２に割当てられている画像の姿勢を表す姿勢データとをファイル化する。具体的には、画像データをＪＰＥＧ形式によって圧縮して生成されるＪＰＥＧファイルのヘッダ（header）領域に、前記姿勢データを記録する。
【００３５】
記憶手段であるメモリ部１４には、画像処理部１３から与えられる画像データが記憶される。詳細に述べると、操作者によって後述するシャッタキー２１が操作されて撮像され、圧縮された画像データは、予め定める画像の姿勢を表す姿勢データに基づいてメモリ部１４に記憶される。操作者によって後述する第１〜第４姿勢キー２３〜２６が操作されて撮像され、圧縮された画像データは、各姿勢キー２３〜２６にそれぞれ割当てられている画像の姿勢を表す姿勢データに基づいてメモリ部１４に記憶される。本実施の形態のメモリ部１４は、不揮発性の記録媒体であるフラッシュメモリカード、たとえばコンパクトフラッシュ（登録商標）カードおよびスマートメディア（登録商標）カードによって実現されてもよい。
【００３６】
また、後述するＣＰＵ１５の指示に基づいて、メモリ部１４に記憶されている画像データが選択的に読出されて画像処理部１３に与えられると、画像処理部１３では、圧縮伸長回路によって、メモリ部１４から与えられた画像データに対して伸長処理を施す。さらに画像処理部１３は、伸長された画像データを後述する表示部１９に与える。表示部１８は、画像処理部１３から与えられた画像データを表示する。
【００３７】
ＣＰＵ１５は、後述するＲＯＭ１７に記憶される制御プログラムに基づいて、上記の撮像部１１、信号処理部１２、画像処理部１３、メモリ部１４、ＲＡＭ（Random Access
Memory）１６、ＲＯＭ（Read Only Memory）１７、操作部１８および表示部１９を含むハードウェア資源を制御する。本実施の形態において、ＣＰＵ１５およびＲＯＭ１７に記憶される制御プログラムは、制御手段に相当する。
【００３８】
ＲＡＭ１６には、操作者によって設定された動作モードなどが一時的に記憶される。ＲＯＭ１７には、少なくとも電子カメラ装置１を制御する制御プログラム、および画像を圧縮するときの複数の圧縮率などの画像データに対して画像処理を行うときに用いるパラメータが記憶される。
【００３９】
入力手段である操作部１８は、電子カメラ装置１への指示を表す所定の情報を入力するための複数の操作キーを有している。操作者は、複数の操作キーを操作することによって、ＣＰＵ１５に対して、各操作キーに対応した指示信号を与える。本実施の形態における操作部１８の複数の操作キーは、シャッタキー２１、姿勢キー２２ならびに図示しない電源キー、動作モードキーおよび消去キーを含む。
【００４０】
シャッタキー２１は、撮像された画像データをメモリ部１４に記憶するための指示を入力するときに操作される。姿勢キー２２は、第１姿勢キー２３、第２姿勢キー２４、第３姿勢キー２５および第４姿勢キー２６を含む。第１〜第４姿勢キー２３〜２６は、撮像部１１によって撮像される画像の姿勢を選択して入力するときに操作される。また、第１〜第４姿勢キー２３〜２６は、シャッタキー２１と同様の機能を有する。操作者によって、第１〜第４姿勢キー２３〜２６のうちいずれかの姿勢キーが操作されると、各姿勢キー２３〜２６にそれぞれ割当てられている画像の姿勢を表す姿勢データが、操作部１８から信号処理部１２に与えられるとともに、撮像された画像を表す画像データが、撮像部１１から信号処理部１２に与えられる。
【００４１】
電源キーは、電子カメラ装置１の電源の投入および切断の指示を入力するときに操作される。動作モードキーは、画像を撮像して得られた画像データをメモリ部１４に記憶するときに操作される撮像モードキーと、メモリ部１４に記憶された画像データを表示部１９に表示させるときに操作される表示モードキーとを含む。操作者によって撮像モードキーが操作されると、画像を撮像して得られた画像データを信号処理部１２のデータメモリに一時的に記憶することができる状態に設定される。操作者によって表示モードキーが操作されると、メモリ部１４に記憶されている画像データを表示部１９に表示することができる状態に設定される。
【００４２】
消去キーは、たとえばメモリ部１４に記憶されている画像データのうち、操作者によって選択された画像データを消去するときに操作される。また、消去キーは、撮像されてメモリ部１４に記憶された画像データを個別に消去するとき、日付、データ名およびデータ容量などに基づいて分類される複数の画像データを含むフォルダを消去するとき、ならびにメモリ部１４に記憶されているすべての画像データを消去するときに操作される。
【００４３】
操作者は、消去キーを操作することによって、メモリ部１４に記憶されている画像データのうち、選択した画像データを消去することができる。また操作者は、消去キーを操作することによって、メモリ部１４に記憶された画像データを個別に消去したり、複数の画像データを含むフォルダを消去したり、メモリ部１４に記憶されているすべての画像データを消去することができる。
【００４４】
表示部１９は、メモリ部１４に記憶されている画像データ、電子カメラ装置の操作説明、撮影可能枚数、現在日時、動作モード、電池の残量、ストロボ発光の有無および画像の圧縮率などを表示する。本実施の形態の表示部１９は、たとえばカラー表示可能な液晶ディスプレイによって実現される。表示部１９は、カラー表示可能な液晶ディスプレイに限らず、本発明の他の実施の形態では、カラー表示可能なエレクトロルミネッセンス（
Electro Luminescence；略称：ＥＬ）ディスプレイによって実現されてもよい。
【００４５】
図２は、電子カメラ装置１の外観を示す図である。図２（ａ）は、電子カメラ装置１の正面図であり、図２（ｂ）は、電子カメラ装置１の背面図である。電子カメラ装置１は直方体状である。電子カメラ装置１に関する説明において、特に限定しない場合、長手方向Ｘは、電子カメラ装置１の長手方向を意味し、短手方向Ｙは、電子カメラ装置１の短手方向を意味する。
【００４６】
電子カメラ装置１の正面部には、図２（ａ）に示すように、撮影時の画角を確認するための光学ファインダ２７が設けられる。光学ファインダ２７は、長手方向Ｘ他端部でかつ短手方向Ｙ一端部に設けられる。また、電子カメラ装置１の正面部には、図２（ａ）に示すように撮像レンズ２８が設けられる。撮像レンズ２８は、長手方向Ｘ略中央部でかつ短手方向Ｙ略中央部に設けられる。電子カメラ装置１の正面部には、図２（ａ）に示すように、撮影時に発光するストロボ２９が設けられる。ストロボ２９は、長手方向Ｘ一端部でかつ短手方向Ｙ一端部に設けられる。電子カメラ装置１において、撮像レンズ２８が設けられる正面部に垂直な一表面部で、短手方向Ｙ一端部かつ長手方向Ｘ他端部には、外部に突出するシャッタキー２１が設けられる。
【００４７】
また、電子カメラ装置１の背面部には、図２（ｂ）に示すように、表示部１９が設けられる。表示部１９は、長手方向Ｘ他端部でかつ短手方向Ｙ他端部に設けられる。表示部１９は、長方形状である。表示部１９は、表示部１９の長手方向Ｘが電子カメラ装置１の長手方向Ｘに平行となり、かつ表示部１９の短手方向が電子カメラ装置１の短手方向Ｙに平行となるように設けられる。
【００４８】
電子カメラ装置１の背面部には、姿勢キー２２が設けられる。表示部１９の長手方向一側部には、表示部１９に隣接して姿勢キー２２が設けられる。第１〜第４姿勢キー２３〜２６は、図２（ｂ）に示すように、略十字状に配置される。
【００４９】
第１姿勢キー２３は、長手方向Ｘ一端部でかつ短手方向Ｙ一端部に設けられる。第２姿勢キー２４は、長手方向Ｘ一端部でかつ短手方向Ｙ他端部に設けられる。第１姿勢キー２３と第２姿勢キー２４とは、短手方向Ｙに互いに間隔をあけて設けられる。
【００５０】
第３姿勢キー２５は、第１および第２姿勢キー２３，２４よりも長手方向Ｘ一方寄りに設けられる。第４姿勢キー２６は、第１および第２姿勢キー２３，２４よりも長手方向Ｘ他方寄りに設けられる。第３および第４姿勢キー２５，２６は、第１姿勢キー２３と第２姿勢キー２４との中央に設けられる。また、第３および第４姿勢キー２５，２６は、第１および第２姿勢キー２３，２４と短手方向Ｙにそれぞれ間隔をあけて設けられる。第３姿勢キー２５と第４姿勢キー２６とは、長手方向Ｘに互いに間隔をあけて設けられる。
【００５１】
図３は、紙面３１に印字される被写体３２を示す図である。本実施の形態では、電子カメラ装置１によって、図３に示す被写体が撮像される。図４は、第１〜第４姿勢キー２３〜２６が操作されてメモリ部１４に記憶される画像データが表す画像３５の一例を示す図である。図４（ａ）は、第１姿勢キー２３が操作されてメモリ部１４に記憶される画像データが表す画像３５の一例を示す図である。図４（ｂ）は、第２姿勢キー２４が操作されてメモリ部１４に記憶される画像データが表す画像３５の一例を示す図である。図４（ｃ）は、第３姿勢キー２５が操作されてメモリ部１４に記憶される画像データが表す画像３５の一例を示す図である。図４（ｄ）は、第４姿勢キー２６が操作されてメモリ部１４に記憶される画像データが表す画像３５の一例を示す図である。
【００５２】
本実施の形態において、電子カメラ装置１によって撮像される被写体３２は、図３に示すように、紙面３１に印字された文字「い」である。本実施の形態では、被写体３２である文字「い」が印字された紙面３１に臨んで左右となる方向、換言すると図３において、紙面に臨んで左右となる方向を第１方向３３とし、前記紙面３１に臨んで上下となる方向、換言すると図３において、紙面に臨んで上下となる方向を第２方向３４とする。
【００５３】
本実施の形態では、前記第１方向３３と電子カメラ装置１の長手方向Ｘとが平行でかつ前記第２方向３４と電子カメラ装置１の短手方向Ｙとが平行となるようにして、被写体３２を撮像する。このようにして撮像された被写体３２を表す画像データは、メモリ部１４に記憶される。メモリ部１４に記憶された画像データが表す前記被写体３２を、たとえば表示部１９に表示させるように操作すると、操作者によって操作されて入力された姿勢データに基づいて、図３に示す被写体３２が表示部１９に表示される。
【００５４】
本実施の形態では、電子カメラ装置１を、前記第１方向３３と電子カメラ装置１の長手方向Ｘとが平行でかつ前記第２方向３４と電子カメラ装置１の短手方向Ｙとが平行となるような状態にして、第１〜第４姿勢キー２３〜２６を操作して、被写体画像３２を撮像するものとする。
【００５５】
操作者によって第１姿勢キー２３が操作されると、図３に示す被写体３２が撮像される。この撮像された画像には、信号処理部１２によって、前記画像の中心を通り、図３に示す紙面３１に垂直な軸線Ｌ１に関して時計回りに１８０度回転する回転処理が施される。前述のように信号処理部１２によって１８０度の回転処理が施された画像は、画像処理部１３によって圧縮処理などが施された後、図４（ａ）に示す画像３５が表す画像データとしてメモリ部１４に記憶される。
【００５６】
操作者によって第２姿勢キー２４が操作されると、図３に示す被写体３２が撮像される。この撮像された画像には、信号処理部１２によって回転処理は施されずに、画像の姿勢を保持した状態で画像処理部１３によって圧縮処理などが施された後、図４（ｂ）に示す画像３５が表す画像データとしてメモリ部１４に記憶される。
【００５７】
操作者によって第３姿勢キー２５が操作されると、図３に示す被写体３２が撮像される。撮像された画像は、信号処理部１２によって、前記画像の中心を通り、図３に示す紙面３１に垂直な軸線Ｌ１に関して時計回りに２７０度回転する回転処理が施される。前述のように信号処理部１２によって２７０度の回転処理が施された画像は、画像処理部１３によって圧縮処理などが施された後、図４（ｃ）に示す画像３５が表す画像データとしてメモリ部１４に記憶される。
【００５８】
操作者によって第４姿勢キー２６が操作されると、図３に示す被写体３２が撮像される。この撮像された画像には、信号処理部１２によって、前記被写体画像３２の中心を通り、図３に示す紙面３１に垂直な軸線Ｌ１に関して時計回りに９０度回転する回転処理が施される。前述のように信号処理部１２によって９０度の回転処理が施された画像は、画像処理部１３によって圧縮処理などが施された後、図４（ｄ）に示す画像３５が表す画像データとしてメモリ部１４に記憶される。
【００５９】
前述の信号処理部１２による画像の回転処理では、画像の中心を原点（０，０）として、前述の式（１）および式（２）における変数ｘ，ｙ，θに所定の数値が与えられ、画像を所定の角度で回転させたときの画素の座標位置がそれぞれ算出される。この算出された画素の座標位置に基づいて、回転処理が施された画像を表す画像データが出力される。
【００６０】
本実施の形態では、前記画像を所定の角度で回転させたときの画素の座標位置を算出するとき、前述の式（１）および式（２）における変数θには弧度法で表される角度を与える。
【００６１】
本実施の形態において、信号処理部１２は、第１姿勢キー２３が操作されたとき、前述の式（１）および式（２）における変数θにπラジアンを与え、第３姿勢キー２５が操作されたときに、前述の式（１）および式（２）における変数θに（３／２）πラジアンを与え、第４姿勢キー２６が操作されたときに、前述の式（１）および式（２）における変数θにπ／２ラジアンを与えることによって、前記画像に対して回転処理を施す。
【００６２】
前述のように、本実施の形態において、第２姿勢キー２４が操作されたときは、信号処理部１２によって、撮像された画像に対する回転処理は施されないので、第２姿勢キー２４が操作されたとき、およびシャッタキー２１が操作されたときには、同一の処理が実行される。
【００６３】
本実施の形態では、操作者によってたとえば第１姿勢キー２３が操作されたとき、撮像された画像は、信号処理部１２によって、画像の中心を通り、図３に示す紙面３１に垂直な軸線Ｌ１に関して時計回りに１８０度回転する回転処理が施されるように構成されているが、本発明の他の実施の形態では、たとえば第１姿勢キー２３が操作されたとき、信号処理部１２によって、撮像された画像を９０度回転する回転処理が施されるようにしてもよい。
【００６４】
また、本実施の形態において、信号処理部１２は、撮像部１１によって撮像される画像の姿勢と、予め定める文字画像の姿勢とが合致するように、前記画像と前記文字画像とを合成させた合成画像を表す合成画像データを生成する。具体的には、信号処理部１２によって、たとえば電子カメラ装置１で被写体画像を撮像したときの日時を表す文字データが、ビットマップ形式の文字画像データに変換され、この文字画像データと、前記撮像された画像を表す画像データとが合成されて、合成画像データが生成される。本実施の形態において、信号処理部１２は、合成画像データ生成手段に相当する。信号処理部１２によって生成された合成画像データは、データメモリに記憶される。
【００６５】
操作者によって第１〜第４姿勢キー２３〜２６のいずれかが操作されると、前述のように、信号処理部１２は、撮像された画像の姿勢と、予め定める文字画像の姿勢とが合致するように、前記画像と文字画像とを合成して合成画像データを生成する。合成画像データが生成されると、生成された合成画像データと、操作者によって操作される姿勢キーに割当てられた画像の姿勢を表す姿勢データとに基づいて、前記姿勢データが表す姿勢で、前記合成画像データが表す合成画像を表示することができるように前記合成画像データがメモリ部１４に記憶される。
【００６６】
したがって、操作者は、第１〜第４姿勢キー２３〜２６のいずれかを操作するだけで、操作者の所望する姿勢で前記合成画像を表示することができるように、合成画像データをメモリ部１４に記憶させることができる。これによって、メモリ部１４に記憶された合成画像データが表す合成画像を、たとえば所定の時間毎に順次表示させたり、前記合成画像の一覧を表示させたりするとき、前記合成画像が確実に操作者の所望する姿勢で表示されるので、操作者に対する利便性を向上することができる。
【００６７】
図５は、電子カメラ装置１の動作処理を示すフローチャートである。電子カメラ装置１の動作処理は、操作者によって撮像モードキーが押下され、動作モードが撮像モードに設定されたときに開始する。
【００６８】
ステップＳ１では、ＣＰＵ１５は、シャッタキー２１が押下されたか否かを判断する。ステップＳ１において、ＣＰＵ１５が、シャッタキー２１が押下されたと判断したときは、ステップＳ２に進み、ＣＰＵ１５が、シャッタキー２１が押下されていないと判断したときは、ステップＳ６に進む。
【００６９】
ステップＳ２では、撮像部１１によって撮像処理を行う。具体的には、撮像部１１が、ＣＰＵ１５からの指示に従って、撮像して得られたアナログ信号である画像信号を増幅し、増幅した画像信号を、Ａ／Ｄ変換器によってデジタル信号に変換して画像データを生成する。ステップＳ２において画像データを生成した後は、ステップＳ３に進む。
【００７０】
ステップＳ３では、信号処理部１２によって信号処理を行う。具体的には、信号処理部１２が、ＣＰＵ１５の指示に従って、撮像部１１で生成された画像データに対して、ホワイトバランス補正およびガンマ補正などの信号処理を施す。ステップＳ３において前記画像データに対して信号処理を施した後は、ステップＳ４に進む。
【００７１】
ステップＳ４では、画像処理部１３によって画像処理を行う。具体的には、画像処理部１３が、ＣＰＵ１５からの指示に従って、信号処理部１２によって信号処理が施された画像データに対して、ＪＰＥＧ形式の圧縮処理を施す。ステップＳ４において前記信号処理が施された画像データに対して圧縮処理を施した後は、ステップＳ５に進む。
【００７２】
ステップＳ５では、ＣＰＵ１５は、予め定める画像の姿勢を表す姿勢データに基づいて、ステップＳ４で圧縮処理が施された画像データをメモリ部１４に記憶させる。ステップＳ５において、前記画像データをメモリ部１４に記憶させた後は、すべての処理を終了する。
【００７３】
ステップＳ６では、ＣＰＵ１５は、姿勢キー２２が押下されたか否かを判断する。ステップＳ６において、ＣＰＵ１５が、姿勢キー２２が押下されたと判断したときは、ステップＳ７に進み、ＣＰＵ１５が、姿勢キー２２が押下されていないと判断したときは、ステップＳ１に戻り、前述の処理を再度行う。
【００７４】
ステップＳ７では、ステップＳ２と同様に、撮像部１１によって撮像処理を行う。具体的には、撮像部１１が、ＣＰＵ１５からの指示に従って、撮像して得られたアナログ信号である画像信号を増幅し、増幅した画像信号を、Ａ／Ｄ変換器によってデジタル信号に変換して画像データを生成する。ステップＳ７において画像データを生成した後は、ステップＳ８に進む。
【００７５】
ステップＳ８では、ステップＳ３と同様に、信号処理部１２によって信号処理を行う。具体的には、信号処理部１２が、ＣＰＵ１５の指示に従って、撮像部１１で生成された画像データに対して、ホワイトバランス補正およびガンマ補正などの信号処理を施す。ステップＳ８において前記画像データに対して信号処理を施した後は、ステップＳ９に進む。
【００７６】
ステップＳ９では、ＣＰＵ１５は、操作者によって押下された姿勢キー２２が第２姿勢キー２４であるか否かを判断する。ステップＳ９において、ＣＰＵ１５が、操作者によって押下された姿勢キー２２が第２姿勢キー２４であると判断したときは、ステップＳ１１に進む。ステップＳ９において、ＣＰＵ１５が、操作者によって押下された姿勢キー２２が第２姿勢キー２４ではないと判断したとき、換言すると、ＣＰＵ１５が、操作者によって押下された姿勢キー２２が第１、第３および第４姿勢キー２３，２５，２６のいずれかであると判断したときは、ステップＳ１０に進む。
【００７７】
ステップＳ１０では、信号処理部１２によって画像の回転処理を行う。具体的には、信号処理部１２が、ＣＰＵ１５の指示に従って、操作者によって押下された第１、第３および第４姿勢キー２３，２５，２６のいずれかの姿勢キーに割当てられている画像の姿勢を表す姿勢データに基づいて、前記信号処理が施された画像データが表す画像に対して回転処理を施す。ステップＳ１０において前記信号処理が施された画像データが表す画像に対して回転処理を施した後は、ステップＳ１１に進む。
【００７８】
ステップＳ１１では、画像処理部１３によって圧縮処理を行う。具体的には、画像処理部１３が、ＣＰＵ１５の指示に従って、ステップＳ８で信号処理が施された画像データおよびステップＳ８で信号処理が施され、およびステップＳ１０で回転処理が施された画像データのいずれかに対して、ＪＰＥＧ形式の圧縮処理を施す。ステップＳ１１において前記画像データに対して圧縮処理を施した後は、ステップＳ１２に進む。
【００７９】
ステップＳ１２では、画像処理部１３は、ＣＰＵ１５の指示に従って、ステップＳ１１でＪＰＥＧ形式によって圧縮された画像データと、操作者によって押下された姿勢キーに割当てられている画像の姿勢を表す姿勢データとをファイル化する。具体的には、画像データをＪＰＥＧ形式によって圧縮して生成されるＪＰＥＧファイルのヘッダ（header）領域に、前記姿勢データを記録する。ステップＳ１２において前記圧縮された画像データと姿勢データとをファイル化した後は、ステップＳ１３に進む。
【００８０】
ステップＳ１３では、ＣＰＵ１５は、操作者によって押下された第１〜第４姿勢キー２３〜２６にそれぞれ割当てられている画像の姿勢を表す姿勢データに基づいて、前記姿勢データが表す姿勢で画像を表示することができるように、圧縮された画像データと姿勢データとをファイル化したデータファイルをメモリ部１４に記憶させる。ステップＳ１３において、前記データファイルをメモリ部１４に記憶させた後は、すべての処理を終了する。
【００８１】
以上のように本実施の形態によれば、操作者が操作部１８の第１〜第４姿勢キー２３〜２６を操作して、撮像部１１によって撮像される画像の姿勢を選択して入力すると、撮像部１１によって撮像された画像を表す画像データと、操作部１８に入力される画像の姿勢を表す姿勢データとに基づいて、前記姿勢データが表す姿勢で画像を表示することができるように画像データがメモリ部１４に記憶される。したがって、操作者は、第１〜第４姿勢キー２３〜２６のいずれかを選択して入力するだけで、容易かつ確実に操作者自身の所望する姿勢で画像を表示することができるように画像データをメモリ部１４に記憶させることができる。これによって、メモリ部１４に記憶された画像データが表す画像を、たとえば所定の時間毎に順次表示させたり、前記画像の一覧を表示させたりするとき、確実に操作者の所望する姿勢で前記画像を表示させることができる。
【００８２】
また、電子カメラ装置１は、従来の技術のように、センサなどによって電子カメラ装置本体の撮影方向を検出するようには構成されていない。したがって、電子カメラ装置１は、従来の技術のように、電子カメラ装置本体の撮影方向が検出されないことに起因して、操作者の所望する姿勢で画像を表示させることができないといった不具合を生じることがない。これによって、操作者に対する利便性を向上することができる。
【００８３】
また本実施の形態によれば、操作者が操作部１８の第１〜第４姿勢キー２３〜２６を操作して、撮像部１１によって撮像される画像の姿勢を選択して入力すると、撮像された画像を表す画像データと、前記画像の姿勢を表す姿勢データとが対応付けられてメモリ部１４に記憶される。
【００８４】
したがって、操作者は、第１〜第４姿勢キー２３〜２６のいずれかを選択して入力するだけで、容易かつ確実に操作者自身の所望する姿勢で画像を表示することができるように、前記撮像された画像を表す画像データと、前記撮像された画像に対する操作者の所望する姿勢を表す姿勢データとを対応付けてメモリ部１４に記憶させることができる。これによって、メモリ部１４に記憶された画像データが表す画像を、たとえば所定の時間毎に順次表示させたり、前記画像の一覧を表示させたりするとき、前記画像データと対応付けられてメモリ部１４に記憶された姿勢データに基づいて、より確実に操作者の所望する姿勢で前記画像を表示させることができる。したがって、操作者に対する利便性を向上することができる。
【００８５】
操作者が操作部１８の第１〜第４姿勢キー２３〜２６を操作して、撮像部１１によって撮像される画像の姿勢を選択して入力すると、操作部１８に入力される画像の姿勢を表す姿勢データに基づいて、撮像部１１によって撮像された画像の姿勢を変化させて得られる画像データがメモリ部１４に記憶される。
【００８６】
したがって、操作者は、第１〜第４姿勢キー２３〜２６のいずれかを選択して入力するだけで、容易かつ確実に操作者自身の所望する姿勢で画像を表示することができるように、前記撮像部１１によって撮像された画像の姿勢を変化させて得られる画像データをメモリ部１４に記憶させることができる。これによって、メモリ部１４に記憶された画像データが表す画像を、たとえば所定の時間毎に順次表示させたり、前記画像の一覧を表示させたりするとき、確実に操作者の所望する姿勢で前記画像を表示させることができる。したがって、操作者に対する利便性を向上することができる。
【００８７】
操作者が操作部１８の第１〜第４姿勢キー２３〜２６を操作して、撮像部１１によって撮像される画像の姿勢を選択して入力すると、撮像部１１によって撮像された画像を表す画像データと、操作部１８に入力される画像の姿勢を表す姿勢データとがファイル化されてメモリ部１４に記憶される。このように、前記画像データと姿勢データとは、ファイル化されてメモリ部１４に記憶されるので、メモリ部１４に記憶された画像データが表す画像を外部の表示装置で表示させるとき、操作者は、画像データと姿勢データとがファイル化された１つのデータファイルを外部の表示装置に供給するだけでよく、画像データと姿勢データとがファイル化されずに個別にメモリ部１４に記憶される場合のように、画像データと姿勢データとを個別に外部の表示装置に供給する必要がない。したがって、姿勢データに基づいて、姿勢データが表す姿勢で前記画像データを表す画像を、外部の表示装置に確実に表示させることができ、操作者に対する利便性が向上する。
【００８８】
前述の実施の形態は、本発明の例示に過ぎず、本発明の範囲内において発明の構成を変更してもよい。前述の実施の形態では、電子カメラ装置１に電子スチルカメラを適用した場合の構成について述べたが、本発明の他の実施の形態では、電子スチルカメラに限らず、静止画撮影機能を有するデジタルビデオカメラおよびカメラ機能付携帯電話機に対しても好適に実施することができる。
【図面の簡単な説明】
【００８９】
【図１】本発明の実施の一形態である電子カメラ装置１の電気的構成を示すブロック図である。
【図２】電子カメラ装置１の外観を示す図である。
【図３】紙面３１に印字される被写体３２を示す図である。
【図４】第１〜第４姿勢キー２３〜２６が操作されてメモリ部１４に記憶される画像データが表す画像３５の一例を示す図である。
【図５】電子カメラ装置１の動作処理を示すフローチャートである。
【符号の説明】
【００９０】
１  電子カメラ装置
１１  撮像部
１２  信号処理部
１３  画像処理部
１４  メモリ部
１５  ＣＰＵ（Central Processing Unit）
１６  ＲＡＭ（Random Access Memory）
１７  ＲＯＭ（Read Only Memory）
１８  表示部
１９  操作部
２１  シャッタキー
２２  姿勢キー
２３  第１姿勢キー
２４  第２姿勢キー
２５  第３姿勢キー
２６  第４姿勢キー
【図１】
2005236399.tif 000003
【図２】
2005236399.tif 000004
【図３】
2005236399.tif 000005
【図４】
2005236399.tif 000006
【図５】
2005236399.tif 000007